(57)【特許請求の範囲】
【請求項１】
接続セクタに対する移動局端末の測定情報である接続セクタ測定情報を取得する接続セクタ測定情報取得部と、
隣接セクタに対する移動局端末の測定情報である隣接セクタ測定情報を取得する隣接セクタ測定情報取得部と、
前記隣接セクタ測定情報取得部による前記隣接セクタ測定情報の取得の有無に基づいて、移動局端末の電力を制御する電力制御方式を選択する電力制御方式選択部と
を備え、
前記電力制御方式選択部は、
現在から過去所定の時間内における前記隣接セクタ測定情報取得部による前記隣接セクタ測定情報の取得の有無に基づいて、前記電力制御方式を選択することを特徴とする送信電力制御装置。
【請求項２】
接続セクタに対する移動局端末の測定情報である接続セクタ測定情報を取得する接続セクタ測定情報取得部と、
隣接セクタに対する移動局端末の測定情報である隣接セクタ測定情報を取得する隣接セクタ測定情報取得部と、
前記隣接セクタ測定情報取得部による前記隣接セクタ測定情報の取得の有無に基づいて、移動局端末の電力を制御する電力制御方式を選択する電力制御方式選択部と
を備え、
前記隣接セクタ測定情報取得部は、
現在から過去所定の時間内において前記隣接セクタ測定情報を取得した場合に、当該隣接セクタ測定情報を前記電力制御方式選択部に出力し、
前記電力制御方式選択部は、
前記隣接セクタ測定情報取得部から前記隣接セクタ測定情報を取得したか否かに基づいて、前記電力制御方式を選択することを特徴とする送信電力制御装置。
【請求項３】
２種類の電力制御方式の何れか１つを用いて移動局端末の電力を制御する送信電力制御装置であって、
接続セクタに対する移動局端末の測定情報である接続セクタ測定情報を取得する接続セクタ測定情報取得部と、
隣接セクタに対する移動局端末の測定情報である隣接セクタ測定情報を取得する隣接セクタ測定情報取得部と、
前記隣接セクタ測定情報取得部による前記隣接セクタ測定情報の取得の有無に基づいて、２種類の前記電力制御方式の何れか１つを選択する電力制御方式選択部と
を備えることを特徴とする送信電力制御装置。
【請求項４】
２種類の前記電力制御方式の一方は、前記接続セクタ測定情報および前記隣接セクタ測定情報を使用する第１の算術式によって示され、２種類の前記電力制御方式の他方は、前記隣接セクタ測定情報を使用せずに前記接続セクタ測定情報を使用する第２の算術式によって示されるものであって、
前記電力制御方式選択部は、
前記隣接セクタ測定情報取得部によって前記隣接セクタ測定情報が取得された場合には、前記第１の算術式によって示される前記電力制御方式を選択し、
前記隣接セクタ測定情報取得部によって前記隣接セクタ測定情報が取得されなかった場合には、前記第２の算術式によって示される前記電力制御方式を選択することを特徴とする請求項３に記載の送信電力制御装置。
【請求項５】
前記送信電力制御装置は、
前記電力制御方式選択部によって選択された前記電力制御方式に基づいて、移動局端末の電力レベルを決定する電力レベル決定部を更に備えることを特徴とする請求項１乃至請求項４の何れか１項に記載の送信電力制御装置。
【請求項６】
接続セクタに対する移動局端末の測定情報である接続セクタ測定情報を取得する接続セクタ測定情報取得手段と、
隣接セクタに対する移動局端末の測定情報である隣接セクタ測定情報を取得する隣接セクタ測定情報取得手段と、
前記隣接セクタ測定情報取得手段による前記隣接セクタ測定情報の取得の有無に基づいて、移動局端末の電力を制御する電力制御方式を選択する電力制御方式選択手段と
を有し、
前記電力制御方式選択手段は、
現在から過去所定の時間内における前記隣接セクタ測定情報取得手段による前記隣接セクタ測定情報の取得の有無に基づいて、前記電力制御方式を選択することを特徴とする送信電力制御方法。
【請求項７】
移動局端末の送信電力を制御する送信電力制御装置のコンピュータに、
接続セクタに対する移動局端末の測定情報である接続セクタ測定情報を取得する接続セクタ測定情報取得ステップと、
隣接セクタに対する移動局端末の測定情報である隣接セクタ測定情報を取得する隣接セクタ測定情報取得ステップと、
前記隣接セクタ測定情報取得ステップによる前記隣接セクタ測定情報の取得の有無に基づいて、移動局端末の電力を制御する電力制御方式を選択する電力制御方式選択ステップとを実行させるプログラムであって、
前記電力制御方式選択ステップは、
現在から過去所定の時間内における前記隣接セクタ測定情報取得ステップによる前記隣接セクタ測定情報の取得の有無に基づいて、前記電力制御方式を選択することを特徴とするプログラム。
【発明の詳細な説明】
【技術分野】
【０００１】
本発明は、送信電力制御装置、送信電力制御方法およびプログラムに関する。
【背景技術】
【０００２】
ＬＴＥ（Long Term Evolution）では、バックボーンネットワークを利用して、ＯＩ（Overload Indicator）やＨｉｇｈ  Ｉｎｔｅｒｆｅｒｅｎｃｅ  Ｉｎｄｉｃａｔｏｒなどの干渉情報や割当情報を基地局間で通知することができる。これらの情報をもとに基地局間で連携した動作が可能となる。ＯＩは自セクタで測定した周波数ブロック（無線リソースの割当最小単位。連続した帯域である）毎の干渉情報を隣接セクタに通知する。干渉情報は０、１、２の３段階により表わされ、干渉レベルが高くなるほど大きな値を設定する。
【０００３】
また、隣接セクタからの干渉情報を利用した送信電力制御が検討されている(特許文献１、非特許文献１参照)。特許文献１、非特許文献１では、移動局端末（端末）から基地局への上りリンクにおける、移動局端末の送信電力の決定方式について記載されている。本方式はＵＭＢ（Ultra Mobile Broadband）と称するセルラシステムの標準仕様に従って記載されている。
【０００４】
特許文献１では、接続セクタ以外のパスロス（減衰）が最も小さなセクタにて計算された全帯域における干渉情報をもとに、電力の増減（上下）を決定する。基本的な送信電力制御部の動作は、干渉が大きい場合、電力を減少または維持（変更無）し、干渉が小さい場合、電力を増加または維持するというポリシーに基づき制御される。電力の増減は確率的に行われ、確率は、接続セクタと接続セクタ以外のパスロスが最も小さなセクタとのパスロス値の差、および、現在の電力レベルにより求められる。なお、非特許文献１では干渉情報はＩｏＴＬｅｖｅｌとして０、１、２の３段階で表わされている。パスロス差による電力制御を行なうことで、セル間の干渉のみならず、セクタ間の干渉を低減することができる。
【先行技術文献】
【特許文献】
【０００５】
【特許文献１】特開２００８−９２５４５号公報
【非特許文献】
【０００６】
【非特許文献１】3GPP2 C.S0084-002-0、“Medium Access Control Layer For Ultra Mobile Broadband (UMB) Air Interface Specification”
【発明の概要】
【発明が解決しようとする課題】
【０００７】
上記送信電力の決定方式では、接続セクタと移動局端末間のパスロスと、接続セクタ以外のセクタと移動局端末間のパスロスとの差分より電力の増減を決定している。しかしながら、通信システム（例えば、ＬＴＥ）によっては、基地局にて接続セクタ以外のセクタに係る情報（例えば、隣接セクタと移動局端末間のパスロス）を得られないために、接続セクタ以外のセクタのパスロスを推定することができない場合がある。当該場合、上記電力の増減を決定することができない、即ち、上記送信電力の決定方式を適用することができないという問題がある。
【０００８】
本発明は、このような事情に鑑みてなされたものであり、基地局にて接続セクタ以外のセクタに係る情報を常には得られない通信システム（接続セクタ以外のセクタに係る情報を得られない場合がある通信システム）においても、セル間の干渉およびセクタ間の干渉を低減させる移動局端末の送信電力制御技術を提供することを目的とする。
【課題を解決するための手段】
【０００９】
上記問題を解決するために、本発明の一態様である送信電力制御装置は、接続セクタに対する移動局端末の測定情報である接続セクタ測定情報を取得する接続セクタ測定情報取得部と、隣接セクタに対する移動局端末の測定情報である隣接セクタ測定情報を取得する隣接セクタ測定情報取得部と、前記隣接セクタ測定情報取得部による前記隣接セクタ測定情報の取得の有無に基づいて、移動局端末の電力を制御する電力制御方式を選択する電力制御方式選択部とを備え、前記電力制御方式選択部は、現在から過去所定の時間内における前記隣接セクタ測定情報取得部による前記隣接セクタ測定情報の取得の有無に基づいて、前記電力制御方式を選択することを特徴とする。
【００１０】
上記問題を解決するために、本発明の他の態様である送信電力制御装置は、接続セクタに対する移動局端末の測定情報である接続セクタ測定情報を取得する接続セクタ測定情報取得部と、隣接セクタに対する移動局端末の測定情報である隣接セクタ測定情報を取得する隣接セクタ測定情報取得部と、前記隣接セクタ測定情報取得部による前記隣接セクタ測定情報の取得の有無に基づいて、移動局端末の電力を制御する電力制御方式を選択する電力制御方式選択部とを備え、前記隣接セクタ測定情報取得部は、現在から過去所定の時間内において前記隣接セクタ測定情報を取得した場合に、当該隣接セクタ測定情報を前記電力制御方式選択部に出力し、前記電力制御方式選択部は、前記隣接セクタ測定情報取得部から前記隣接セクタ測定情報を取得したか否かに基づいて、前記電力制御方式を選択することを特徴とする。
【００１１】
上記問題を解決するために、本発明の他の態様である送信電力制御装置は、２種類の電力制御方式の何れか１つを用いて移動局端末の電力を制御する送信電力制御装置であって、接続セクタに対する移動局端末の測定情報である接続セクタ測定情報を取得する接続セクタ測定情報取得部と、隣接セクタに対する移動局端末の測定情報である隣接セクタ測定情報を取得する隣接セクタ測定情報取得部と、前記隣接セクタ測定情報取得部による前記隣接セクタ測定情報の取得の有無に基づいて、２種類の前記電力制御方式の何れか１つを選択する電力制御方式選択部とを備えることを特徴とする。
【００１２】
上記送信電力制御装置において、２種類の前記電力制御方式の一方は、前記接続セクタ測定情報および前記隣接セクタ測定情報を使用する第１の算術式によって示され、２種類の前記電力制御方式の他方は、前記隣接セクタ測定情報を使用せずに前記接続セクタ測定情報を使用する第２の算術式によって示されるものであって、前記電力制御方式選択部は、前記隣接セクタ測定情報取得部によって前記隣接セクタ測定情報が取得された場合には、前記第１の算術式によって示される前記電力制御方式を選択し、前記隣接セクタ測定情報取得部によって前記隣接セクタ測定情報が取得されなかった場合には、前記第２の算術式によって示される前記電力制御方式を選択するようにしてもよい。
【００１３】
上記送信電力制御装置は、前記電力制御方式選択部によって選択された前記電力制御方式に基づいて、移動局端末の電力レベルを決定する電力レベル決定部を更に備えるようにしてもよい。
【００１４】
上記問題を解決するために、本発明の他の態様である送信電力制御方法は、接続セクタに対する移動局端末の測定情報である接続セクタ測定情報を取得する接続セクタ測定情報取得手段と、隣接セクタに対する移動局端末の測定情報である隣接セクタ測定情報を取得する隣接セクタ測定情報取得手段と、前記隣接セクタ測定情報取得手段による前記隣接セクタ測定情報の取得の有無に基づいて、移動局端末の電力を制御する電力制御方式を選択する電力制御方式選択手段とを有し、前記電力制御方式選択手段は、現在から過去所定の時間内における前記隣接セクタ測定情報取得手段による前記隣接セクタ測定情報の取得の有無に基づいて、前記電力制御方式を選択することを特徴とする。
【００１５】
上記問題を解決するために、本発明の他の態様であるプログラムは、移動局端末の送信電力を制御する送信電力制御装置のコンピュータに、接続セクタに対する移動局端末の測定情報である接続セクタ測定情報を取得する接続セクタ測定情報取得ステップと、隣接セクタに対する移動局端末の測定情報である隣接セクタ測定情報を取得する隣接セクタ測定情報取得ステップと、前記隣接セクタ測定情報取得ステップによる前記隣接セクタ測定情報の取得の有無に基づいて、移動局端末の電力を制御する電力制御方式を選択する電力制御方式選択ステップとを実行させるプログラムであって、前記電力制御方式選択ステップは、現在から過去所定の時間内における前記隣接セクタ測定情報取得ステップによる前記隣接セクタ測定情報の取得の有無に基づいて、前記電力制御方式を選択することを特徴とする。
【発明の効果】
【００１６】
本発明によれば、基地局にて接続セクタ以外のセクタに係る情報を常には得られない通信システムにおいても、セル間の干渉およびセクタ間の干渉を低減させることができるようになる。
【図面の簡単な説明】
【００１７】
【図１】本発明の一実施形態による送信電力制御装置１のブロック図である。
【図２】送信電力制御装置１の動作の一例を示すフローチャートである。
【図３】送信電力制御装置１の動作の一例を示すフローチャートである。
【発明を実施するための形態】
【００１８】
以下、本発明の一実施形態について図面を参照して説明する。本発明の実施形態による送信電力制御装置１は、例えば基地局内に設置される。送信電力制御装置１は、図１に示すように、接続セクタ測定情報取得部１０、隣接セクタ測定情報取得部２０、電力制御方式選択部３０および電力レベル決定部４０を備え、セルラシステムの上りリンクにおける電力制御に関する機能を提供する。
【００１９】
接続セクタ測定情報取得部１０は、接続セクタに係る情報として、接続セクタに対する移動局端末の測定情報である接続セクタ測定情報を取得する。接続セクタ測定情報は、例えば、送信電力制御対象の移動局端末から通知された接続セクタの受信電力レベル情報（ＲＳＲＰ（Reference signal received power））、接続セクタと移動局端末間のパスロス情報、移動局端末から通知される余剰電力情報（Power headroom）などから構成される。接続セクタ測定情報取得部１０は、電力制御方式選択部３０からの要求に応じて、または、接続セクタ測定情報を取得する都度、取得した接続セクタ測定情報を電力制御方式選択部３０に出力する。
【００２０】
隣接セクタ測定情報取得部２０は、接続セクタ以外のセクタに係る情報として、隣接セクタに対する移動局端末の測定情報である隣接セクタ測定情報を取得する。隣接セクタ測定情報は、例えば、送信電力制御対象の移動局端末から通知された隣接セクタの受信電力レベル情報（ＲＳＲＰ）、隣接セクタと移動局端末間のパスロス情報、移動局端末から通知される余剰電力情報などから構成される。なお、隣接セクタ測定情報は、例えば、Measurement Reportとして取得される。隣接セクタ測定情報取得部２０は、取得した隣接セクタ測定情報を一時記憶する。
【００２１】
また、隣接セクタ測定情報取得部２０は、外部から適用期限指定情報を取得する。適用期限指定情報は、隣接セクタ測定情報について電力制御に適用され得る期限（時間）を指定した情報であって、電力制御方式選択部３０および電力レベル決定部４０において電力制御に適用される隣接セクタ測定情報を規定（制限）する情報である。隣接セクタ測定情報取得部２０は、取得した適用期限指定情報を参照可能な領域に記憶する。
【００２２】
隣接セクタ測定情報取得部２０は、電力制御方式選択部３０からの要求に応じて、適用期限指定情報によって指定された過去所定の時間内に取得していた隣接セクタ測定情報を電力制御方式選択部３０へ出力する。つまり、隣接セクタ測定情報取得部２０は、適用期限指定情報によって指定された過去所定の時間内において隣接セクタ測定情報を取得していた場合には、当該隣接セクタ測定情報を電力制御方式選択部３０に出力する一方、当該時間内において隣接セクタ測定情報を取得していなかった場合には、何も電力制御方式選択部３０に出力しない（過去所定の時間よりも前に取得した隣接セクタ測定情報については未出力のものであっても電力制御方式選択部３０に出力しない）。
【００２３】
なお、隣接セクタ測定情報取得部２０は、上記時間内において複数の隣接セクタ測定情報を取得していた場合には、最新の隣接セクタ測定情報を電力制御方式選択部３０に出力してもよいし、当該複数の隣接セクタ測定情報の平均値を算出して電力制御方式選択部３０に出力してもよい。
【００２４】
電力制御方式選択部３０は、接続セクタ測定情報取得部１０から出力された接続セクタ測定情報を取得する。また、電力制御方式選択部３０は、隣接セクタ測定情報取得部２０から出力された隣接セクタ測定情報を取得する。
【００２５】
電力制御方式選択部３０は、隣接セクタ測定情報取得部２０による隣接セクタ測定情報の取得の有無に基づいて、移動局端末の電力制御方式を選択する。具体的には、電力制御方式選択部３０は、適用期限指定情報によって指定された過去所定の時間内における隣接セクタ測定情報取得部２０による隣接セクタ測定情報の取得の有無に基づいて、移動局端末の電力制御方式を選択する。
【００２６】
電力制御方式選択部３０は、適用期限指定情報によって指定された過去所定の時間内に隣接セクタ測定情報取得部２０が隣接セクタ測定情報を取得していた場合、即ち、隣接セクタ測定情報取得部２０から隣接セクタ測定情報を取得できた場合、接続セクタ測定情報取得部１０から取得した接続セクタ測定情報および隣接セクタ測定情報取得部２０から取得した隣接セクタ測定情報に基づいて移動局端末の電力を制御する電力制御方式を選択し、適用期限指定情報によって指定された過去所定の時間内に隣接セクタ測定情報取得部２０が隣接セクタ測定情報を取得していなかった場合、即ち、隣接セクタ測定情報取得部２０から隣接セクタ測定情報を取得できなかった場合、接続セクタ測定情報取得部１０から取得した接続セクタ測定情報に基づいて移動局端末の電力を制御する電力制御方式を選択する。
【００２７】
より詳細には、電力制御方式選択部３０は、隣接セクタ測定情報取得部２０から隣接セクタ測定情報を取得できた場合には、接続セクタ測定情報取得部１０から取得した接続セクタ測定情報および隣接セクタ測定情報取得部２０から取得した隣接セクタ測定情報に基づいて移動局端末の電力を制御する電力制御方式として、下記算術式（１）によって示される電力制御方式を選択する。
【００２８】
【数１】
0005508803.tif 000002
【００２９】
ＸＰＬは、電力レベル決定部４０が電力レベルを決定するときに用いる電力制御係数である。なお、電力レベル決定部４０による電力レベルの決定については後述する。ＲＳＲＰServingSectorは、接続セクタ測定情報から取得する移動局端末にて測定した接続セクタからの信号の受信電力レベルの情報である。ＲＳＲＰStrongestNeighbourは、隣接セクタ測定情報から取得する移動局端末にて測定した隣接セクタからの信号の受信電力レベルの情報である。ＰPLdiff_maxおよびＰPLdiff_minは、外部から取得する設定パラメータである。
【００３０】
一方、電力制御方式選択部３０は、隣接セクタ測定情報取得部２０から隣接セクタ測定情報を取得できなかった場合には、接続セクタ測定情報取得部１０から取得した接続セクタ測定情報に基づいて移動局端末の電力を制御する電力制御方式として、下記算術式（２）によって示される電力制御方式を選択する。
【００３１】
【数２】
0005508803.tif 000003
【００３２】
ＸＰＬは、上述の如く、電力レベル決定部４０が電力レベルを決定するときに用いる電力制御係数である。ＰＬ（ｕ）は、接続セクタ測定情報から取得する移動局端末と接続セクタ間のパスロスの値である。ＰPL_maxおよびＰPL_minは、外部から取得したパラメータである。
【００３３】
つまり、電力制御方式選択部３０は、適用期限指定情報によって指定された過去所定の時間内に隣接セクタ測定情報取得部２０が隣接セクタ測定情報を取得していた場合には、隣接セクタ測定情報を必要とする電力制御方式（上記算術式（１）によって示される電力制御方式）を選択し、適用期限指定情報によって指定された過去所定の時間内に隣接セクタ測定情報取得部２０が隣接セクタ測定情報を取得していなかった場合には、隣接セクタ測定情報を必要としない電力制御方式（上記算術式（２）によって示される電力制御方式）を選択している。
【００３４】
電力制御方式選択部３０は、電力制御方式を選択した場合、選択した電力制御方式を示す電力制御方式選択情報、および、当該電力制御方式において電力レベルの決定に用いられる情報（以下、「電力制御入力情報」という）を電力レベル決定部４０に出力する。電力制御入力情報は、接続セクタ測定情報、または、接続セクタ測定情報および隣接セクタ測定情報である。
【００３５】
具体的には、電力制御方式選択部３０は、接続セクタ測定情報取得部１０から取得した接続セクタ測定情報および隣接セクタ測定情報取得部２０から取得した隣接セクタ測定情報に基づいて移動局端末の電力を制御する電力制御方式として、上記算術式（１）によって示される電力制御方式を選択した場合、上記算術式（１）を選択した旨を示す電力制御方式選択情報、上記算術式（１）において電力レベルの決定に用いられる電力制御入力情報として上記接続セクタ測定情報および上記隣接セクタ測定情報を電力レベル決定部４０に出力する。
【００３６】
一方、電力制御方式選択部３０は、接続セクタ測定情報取得部１０から取得した接続セクタ測定情報に基づいて移動局端末の電力を制御する電力制御方式として、上記算術式（２）によって示される電力制御方式を選択した場合、上記算術式（２）を選択した旨を示す電力制御方式選択情報、上記算術式（２）において電力レベルの決定に用いられる電力制御入力情報として上記接続セクタ測定情報を電力レベル決定部４０に出力する。
【００３７】
電力レベル決定部４０は、電力制御方式選択部３０から電力制御方式選択情報、および、当該電力制御方式選択情報によって示される電力制御方式において電力レベルの決定に用いられる電力制御入力情報（接続セクタ測定情報または／および隣接セクタ測定情報）を取得する。電力レベル決定部４０は、電力制御方式選択部３０から取得したこれらの情報に基づいて、移動局端末の電力レベルを決定する。
【００３８】
具体的には、電力レベル決定部４０は、接続セクタ測定情報および隣接セクタ測定情報に基づいて移動局端末の電力を制御する電力制御方式を示す電力制御方式を選択した旨を示す電力制御方式選択情報と電力制御入力情報（接続セクタ測定情報または／および隣接セクタ測定情報）とを電力制御方式選択部３０から取得した場合、当該電力制御方式選択情報によって示される電力制御方式と、電力制御入力情報（接続セクタ測定情報または／および隣接セクタ測定情報）とに基づいて、移動局端末の電力レベルを決定する。
【００３９】
より詳細には、電力レベル決定部４０は、上記算術式（１）を選択した旨を示す電力制御方式選択情報と、上記算術式（１）において電力レベルの決定に用いられる接続セクタ測定情報および隣接セクタ測定情報とを電力制御方式選択部３０から取得した場合、上記算術式（１）に従って、当該接続セクタ測定情報から取得する受信電力レベルＰServingSector、当該隣接セクタ測定情報から取得するＲＳＲＰStrongestNeighbourなどを用いて電力制御係数ＸＰＬを算出し、更に、算出した電力制御係数ＸＰＬを用いて、例えば下記判定式（３）に従って、電力レベルΔPUSCHを決定する。
【００４０】
【数３】
0005508803.tif 000004
【００４１】
ＩｏＴＬｅｖｅｌ（Ｊ）は、外部から取得する、干渉の状況を表す干渉情報である。本発明では、ＩｏＴＬｅｖｅｌ（Ｊ）の値が大きいほど干渉が大きいものとする。また、Ｘrandは、０から１の乱数である。
【００４２】
一方、電力レベル決定部４０は、接続セクタ測定情報に基づいて移動局端末の電力を制御する電力制御方式を示す電力制御方式を選択した旨を示す電力制御方式選択情報と電力制御入力情報（接続セクタ測定情報）とを電力制御方式選択部３０から取得した場合、当該電力制御方式選択情報によって示される電力制御方式と、電力制御入力情報（接続セクタ測定情報）とに基づいて、移動局端末の電力レベルを決定する。
【００４３】
より詳細には、電力レベル決定部４０は、上記算術式（２）を選択した旨を示す電力制御方式選択情報と、上記算術式（２）において電力レベルの決定に用いられる接続セクタ測定情報とを電力制御方式選択部３０から取得した場合、上記算術式（２）に従って、当該接続セクタ測定情報から取得するパスロスの値ＰＬ（ｕ）などを用いて電力制御係数ＸＰＬを算出し、更に、算出した電力制御係数ＸＰＬを用いて、例えば上記判定式（３）に従って、電力レベルΔPUSCHを決定する。
【００４４】
つまり、電力レベル決定部４０は、適用期限指定情報によって指定された過去所定の時間内に隣接セクタ測定情報取得部２０が隣接セクタ測定情報を取得していた場合には、電力制御方式選択部３０によって選択された電力制御方式（上記算術式（１））と、上記電力制御方式（上記判定式（３））とに従って移動局端末の電力レベルΔPUSCHを決定し、適用期限指定情報によって指定された過去所定の時間内に隣接セクタ測定情報取得部２０が隣接セクタ測定情報を取得していなかった場合には、電力制御方式選択部３０によって選択された電力制御方式（上記算術式（２））と、上記電力制御方式（上記判定式（３））とに従って移動局端末の電力レベルΔPUSCHを決定している。
【００４５】
電力レベルΔPUSCHを決定した電力レベル決定部４０は、電力レベルΔPUSCHを示す電力制御情報を無線リソース割当部（非図示）や制御情報通知部（非図示）などに出力する。
【００４６】
なお、電力レベル決定部４０は、上記算術式（１）において、ＲＳＲＰServingSectorおよびＲＳＲＰStrongestNeighbourを用いて電力制御係数ＸＰＬを算出しているが、ＲＳＲＰServingSectorおよびＲＳＲＰStrongestNeighbourに代えて、接続セクタと移動局端末間のパスロス値および隣接セクタと移動局端末間のパスロス値を用いて、電力制御係数ＸＰＬを算出するようにしてもよい。
【００４７】
以下、図２および図３に示すフローチャートを用いて送信電力制御装置１の動作を説明する。なお、図２に示すフローチャートは、送信電力制御装置１の稼働中において適宜（例えば周期的に）開始するものとする。図３に示すフローチャートは、ある送信電力制御対象の移動局端末に対してあるリソースブロックを割り当てる毎に開始するものとする。また、図３に示すフローチャートの開始時において、隣接セクタ測定情報取得部２０は適用期限指定情報を参照可能な領域に記憶しているものとする。
【００４８】
図２において、接続セクタ測定情報取得部１０は、接続セクタ測定情報を取得したか否かを判断する（ステップＳ１００）。接続セクタ測定情報取得部１０は、接続セクタ測定情報を取得したと判断した場合（ステップＳ１００：Ｙｅｓ）、取得元である移動局端末に対応付けて接続セクタ測定情報を一時記憶する（ステップＳ１１０）。例えば、接続セクタ測定情報取得部１０は、移動局端末毎に最新の接続セクタ測定情報のみを一時記憶してもよいし、移動局端末毎に取得時刻に対応付けて各接続セクタ測定情報を一時記憶してもよい。一方、接続セクタ測定情報取得部１０は、接続セクタ測定情報を取得していないと判断した場合（ステップＳ１００：Ｎｏ）、上記ステップＳ１１０を飛ばしてステップＳ１２０に進む。
【００４９】
ステップＳ１１０またはステップＳ１００（Ｎｏ）に続いて、隣接セクタ測定情報取得部２０は、隣接セクタ測定情報を取得したか否かを判断する（ステップＳ１２０）。隣接セクタ測定情報取得部２０は、隣接セクタ測定情報を取得したと判断した場合（ステップＳ１２０：Ｙｅｓ）、取得元である移動局端末に対応付けて隣接セクタ測定情報を一時記憶する（ステップＳ１３０）。例えば、隣接セクタ測定情報取得部２０は、移動局端末毎に取得時刻に対応付けて各接続セクタ測定情報を一時記憶する。そして、図２に示すフローチャートは終了する。なお、隣接セクタ測定情報取得部２０は、適用期限指定情報によって指定された過去所定の時間内に取得した接続セクタ測定情報のみを一時記憶するべく、上記過去所定の時間より以前に取得した接続セクタ測定情報を適宜消去するようにしてもよい。一方、隣接セクタ測定情報取得部２０は、隣接セクタ測定情報を取得していないと判断した場合（ステップＳ１２０：Ｎｏ）、上記ステップＳ１３０を飛ばして図２に示すフローチャートは終了する。
【００５０】
図３において、電力制御方式選択部３０は、接続セクタ測定情報取得部１０に送信電力制御対象の移動局端末に係る接続セクタ測定情報を要求する（ステップＳ２００）。当該要求を受けた接続セクタ測定情報取得部１０は、一時記憶している、当該移動局端末に係る接続セクタ測定情報（例えば、最新の接続セクタ測定情報）を電力制御方式選択部３０に出力する。換言すれば、電力制御方式選択部３０は、接続セクタ測定情報取得部１０から当該移動局端末に係る接続セクタ測定情報を取得する（ステップＳ２１０）。
【００５１】
次いで、電力制御方式選択部３０は、隣接セクタ測定情報取得部２０に送信電力制御対象の移動局端末に係る隣接セクタ測定情報を要求する（ステップＳ２２０）。当該要求を受けた隣接セクタ測定情報取得部２０は、一時記憶領域（移動局端末毎に取得時刻に対応付けて各接続セクタ測定情報を一時記憶する一時記憶領域）を参照し、適用期限指定情報によって指定された過去所定の時間内において当該移動局端末に係る隣接セクタ測定情報を取得していたか否かを判断する（ステップＳ２３０）。
【００５２】
隣接セクタ測定情報取得部２０は、当該過去所定の時間内時間内において当該移動局端末に係る隣接セクタ測定情報を取得していたと判断した場合（ステップＳ２３０：Ｙｅｓ）、一時記憶している、当該移動局端末に係る隣接セクタ測定情報（例えば、最新の隣接セクタ測定情報）を電力制御方式選択部３０に出力する。換言すれば、電力制御方式選択部３０は、隣接セクタ測定情報取得部２０から当該移動局端末に係る隣接セクタ測定情報を取得する（ステップＳ２４０）。
【００５３】
ステップＳ２４０に続いて電力制御方式選択部３０は、接続セクタ測定情報および隣接セクタ測定情報に基づいて移動局端末の電力を制御する電力制御方式（上記算術式（１）によって示される電力制御方式）を選択する（ステップＳ２５０）。次いで、電力制御方式選択部３０は、上記電力制御方式を選択した旨を示す電力制御方式選択情報、および、電力制御入力情報（ステップＳ２１０において取得した接続セクタ測定情報、ステップＳ２４０において取得した隣接セクタ測定情報）を電力レベル決定部４０に出力する。
【００５４】
電力制御方式選択情報および電力制御入力情報を取得した電力レベル決定部４０は、電力制御方式選択部３０から取得したこれらの情報に基づいて、移動局端末の電力レベルを決定する（ステップＳ２６０）。つまり、電力レベル決定部４０は、ステップＳ２５０にて選択された上記算術式（１）、ステップＳ２１０において取得された接続セクタ測定情報、ステップＳ２４０において取得された隣接セクタ測定情報、および、上記判定式（３）から、電力レベルΔPUSCHを決定する。そして、図３に示すフローチャートは終了する。
【００５５】
一方、隣接セクタ測定情報取得部２０は、当該過去所定の時間内時間内において当該移動局端末に係る隣接セクタ測定情報を取得していなかったと判断した場合（ステップＳ２３０：Ｎｏ）、当該移動局端末に係る隣接セクタ測定情報を電力制御方式選択部３０に出力しない。換言すれば、電力制御方式選択部３０は、隣接セクタ測定情報取得部２０から当該移動局端末に係る隣接セクタ測定情報を取得しない。
【００５６】
ステップＳ２３０（Ｎｏ）に続いて電力制御方式選択部３０は、接続セクタ測定情報に基づいて移動局端末の電力を制御する電力制御方式（上記算術式（２）によって示される電力制御方式）を選択する（ステップＳ２７０）。次いで、電力制御方式選択部３０は、上記電力制御方式を選択した旨を示す電力制御方式選択情報、および、電力制御入力情報（ステップＳ２１０において取得した接続セクタ測定情報）を電力レベル決定部４０に出力する。
【００５７】
電力制御方式選択情報および電力制御入力情報を取得した電力レベル決定部４０は、電力制御方式選択部３０から取得したこれらの情報に基づいて、移動局端末の電力レベルを決定する（ステップＳ２８０）。つまり、電力レベル決定部４０は、ステップＳ２７０にて選択された上記算術式（２）、ステップＳ２１０において取得された接続セクタ測定情報、および、上記判定式（３）から、電力レベルΔPUSCHを決定する。そして、図３に示すフローチャートは終了する。
【００５８】
なお、図２および図３に示すフローチャートでは、接続セクタ測定情報取得部１０は、取得した接続セクタ測定情報を一時記憶し（図２のステップＳ１１０）、電力制御方式選択部３０からの要求に応じて、一時記憶している接続セクタ測定情報を電力制御方式選択部３０に出力しているが（ステップＳ２１０）、接続セクタ測定情報取得部１０は、接続セクタ測定情報を取得する都度、電力制御方式選択部３０に供給するようにしてもよい。
【００５９】
以上、送信電力制御装置１によれば、隣接セクタ測定情報（基地局にて接続セクタ以外のセクタに係る情報）が得られた場合は、隣接セクタ測定情報を用いる電力制御方式によって移動局端末の電力レベルを決定し、隣接セクタ測定情報が得られない場合は、隣接セクタ測定情報を用いない電力制御方式によって移動局端末の電力レベルを決定することができる。
現在、接続セクタと移動局端末間のパスロス、および、隣接セクタと移動局端末間のパスロスの差に基づいた電力制御方式を行なうことでセクタ間の干渉を低減できることが議論されているが、ＬＴＥでは、隣接セクタと移動局端末間のパスロスを得られない場合がある。これに対し、送信電力制御装置１では、隣接セクタの情報を得られる否かにに応じて、上述の如く電力制御方式を切り替えるようにしているため、ＬＴＥなどの基地局にて接続セクタ以外のセクタに係る情報を常には得られない通信システムにおいても、セル間の干渉およびセクタ間の干渉を低減させることができるようになる。
【００６０】
なお、上記実施形態では、隣接セクタ測定情報取得部２０が適用期限指定情報を参照し、過去所定の時間内に取得していた隣接セクタ測定情報を電力制御方式選択部３０へ出力し、電力制御方式選択部３０が隣接セクタ測定情報取得部２０からの隣接セクタ測定情報の取得の有無に基づいて、移動局端末の電力制御方式を選択しているが、隣接セクタ測定情報取得部２０は隣接セクタ測定情報を取得する都度、電力制御方式選択部３０へ出力し、電力制御方式選択部３０は適用期限指定情報を参照し、過去所定の時間内における隣接セクタ測定情報取得部２０による隣接セクタ測定情報の取得の有無に基づいて（有無を判断し）、移動局端末の電力制御方式を選択するようにしてもよい。
【００６１】
また、上記実施形態では、電力制御方式選択部３０は、隣接セクタ測定情報取得部２０から隣接セクタ測定情報を取得できた場合に、接続セクタ測定情報取得部１０から取得した接続セクタ測定情報および隣接セクタ測定情報取得部２０から取得した隣接セクタ測定情報に基づいて移動局端末の電力を制御する電力制御方式として、上記算術式（１）によって示される電力制御方式を選択し、隣接セクタ測定情報取得部２０から隣接セクタ測定情報を取得できなかった場合に、接続セクタ測定情報取得部１０から取得した接続セクタ測定情報に基づいて移動局端末の電力を制御する電力制御方式として、上記算術式（２）によって示される電力制御方式を選択しているが、隣接セクタ測定情報取得部２０から隣接セクタ測定情報を取得できた場合には、上記算術式（１）および上記判定式（３）を選択し、隣接セクタ測定情報取得部２０から隣接セクタ測定情報を取得できなかった場合に、上記算術式（２）および上記判定式（３）を選択するようにしてもよい。
【００６２】
なお、本発明の一実施形態による送信電力制御装置１の各処理を実行するためのプログラムをコンピュータ読み取り可能な記録媒体に記録して、当該記録媒体に記録されたプログラムをコンピュータシステムに読み込ませ、実行することにより、本発明の一実施形態による送信電力制御装置１の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００６４】
以上、この発明の実施形態について図面を参照して詳述してきたが、具体的な構成はこの実施形態に限られるものではなく、この発明の要旨を逸脱しない範囲の設計等も含まれる。
【符号の説明】
【００６５】
１  送信電力制御装置  １０  接続セクタ測定情報取得部  ２０  隣接セクタ測定情報取得部  ３０  電力制御方式選択部  ４０  電力レベル決定部
【図１】
0005508803.tif 000005
【図２】
0005508803.tif 000006
【図３】
0005508803.tif 000007